(57)【特許請求の範囲】
【請求項１】
固定枠体５２の開口前面５２ａ側を開閉する扉５３を横外側方において固定枠体５２に開閉自在に枢支するためのヒンジであって；前記固定枠体５２に固着される水平のベース板２と；このベース板２に、横外側方の第１の枢ピン６により一端側が枢支され、元位置とせり出し位置との間を水平面上回転可能な第１のリンク板３と；前記ベース板２に前記第１の枢ピン６より横内側方の第２の枢ピン７により一端側が枢支され、元位置とせり出し位置との間を水平面上回転可能で、第１のリンク板３と平行に回転する第２のリンク板４と；横内側方に位置する基端と横外側方に位置する先端とを有し、基端側が前記第１及び第２のリンク板３，４の他端側にそれぞれ第３及び第４の枢ピン８，９により枢支されることにより、当該リンク板３，４に連動して元位置とせり出し位置との間を前記固定枠体５２の前面５２ａに対して平行を保ちながら水平面上揺動自在で、先端側に前記扉５３が枢軸５４で枢支される支持板５と；前記支持板５は、元位置において、前記扉５３が閉位置にあるときの垂直投影面内に配置され、せり出し位置において、当該投影面から前方及び横外側方へ張り出すように配置され；それにより、扉５３の開放時に、前記枢軸５４が前記開口前面５２ａの前方横外側方へせり出して配置されることを特徴とするせり出し回転型ヒンジ装置。
【請求項２】
前記第１及び第２のリンク板３，４の回転経路上に進出して当該リンク板３，４を元位置に保持するロック位置と当該回転経路上から退去する解放位置との間で移動操作可能に前記固定枠体５２に支持されるストッパ１０をさらに具備することを特徴とする請求項１に記載のせり出し回転型ヒンジ装置。
【請求項３】
前記第１のリンク３板は、直交する第１片３ａと第２片３ｂからなり、第１片３ａの先端側において前記第１の枢ピン６により、前記ベース板２に枢支され、元位置において第１片３ａが固定枠体５２の開口前面５２ａに対して平行で、第２片３ｂが固定枠体５２の開口前面５２ａに対して直角に前方へ延びるように配置され；前記第２のリンク板４は、直交する第１片４ａと第２片４ｂからなり、第１片４ａの先端側において、前記固定枠体５２の開口前面５２ａに対して平行に前記第１の枢ピン６の横内側方に並ぶ前記第２の枢ピン７によりベース板２に枢支され、元位置において第１片４ａが固定枠体５２の開口前面５２ａに対して平行で、第２片４ｂが固定枠体５２の開口前面５２ａに対して直角に前方へ延びるように配置され；前記支持板５は、元位置において前記固定枠体５２の開口前面５２ａに対して平行に延び、前記枢軸５４による前記扉５３の枢支部が、前記第１の枢ピン６よりも横外側方に配置されることを特徴とする請求項１又は２に記載のせり出し回転型ヒンジ装置。
【発明の詳細な説明】
【技術分野】
【０００１】
この発明は、本発明は自販機等の筐体の扉に使用されるヒンジ装置に関するものである。
【背景技術】
【０００２】
一般の自販機等では、固定枠体に取り付けたベース板の先端部に扉の基端部を単一軸構成のピボット型ヒンジによって連結している。しかしながら、このように扉の回転中心が固定枠体に近接した位置関係にあるヒンジでは、隣に同様の自販機等が設置されている場合には、扉を大きく開放したときに隣接の自販機等に扉が衝突する干渉事故の問題が指摘されている。この干渉事故を避けようとすると、今度は十分に扉を開放することができないため、ディスプレイや金銭収納用引き出し等の引き出し操作に障害となってしまう。
そこで、扉の回転中心が固定枠体の開口部前面側に持ち出されるため、扉が隣接の自販機等に衝突する干渉事故が発生せず、また、開放された扉が引き出し等の出し入れ操作の障害となることもない自販機等の持出し回転型ヒンジが提案されている（例えば特許文献１参照）。
このヒンジは、ベース板の先端部に固定歯車を固着し、アーム板の基端部の第１軸ピンを固定歯車の垂直軸孔に嵌挿し、アーム板に支持させた中間歯車を固定歯車に噛み合わせ、第１リンク板の先端部を第２軸ピンで扉に連結し、第１リンク板の基端部に固着した第３軸ピンをアーム板の軸受孔に嵌挿し、第３軸ピンに固設した回転軸歯車を固定歯車の反対側において中間歯車に噛み合わせ、第２リンク板の基端部を第４軸ピンによってアーム板の先端部に連結し、第２リンク板の先端部を第５軸ピンによって扉に連結したものである。
しかしながら、このヒンジは、機構が複雑で、比較的高価なものとなるという問題点がある。
【先行技術文献】
【特許文献】
【０００３】
【特許文献１】特開平１０−２５２３３８号公報
【発明の概要】
【発明が解決しようとする課題】
【０００４】
したがって、この発明の目的は、扉が閉鎖状態にあるときには扉の回転中心が扉の垂直投影面内にあって、軸受が横外側へ張り出していないが、扉の開放時には、回転中心が固定枠体の開口部前面側の横外側にせり出されるため、開放された扉が隣接の自販機等に干渉することがなく、また内部の物の出し入れ操作の障害となることがない自販機等の筐体のせり出し回転型ヒンジ装置で、構造が比較的簡単で安価に得られるもの提供することである。
【課題を解決するための手段】
【０００５】
以下、添付図面の符号を参照して説明するが、本発明はこれに限定されるものではない。
上記課題を解決するためのこの出願に係る発明のヒンジ装置１は、固定枠体５２の開口前面５２ａ側を開閉する扉５３を固定枠体５２に開閉自在に枢支するためのヒンジであって、固定枠体５２に固着される水平のベース板２と、これに枢支される第１及び第２のリンク板３，４と、これらのリンク板３，４に枢支され、先端側に扉５３を枢支する支持板５とを具備する。第１のリンク板３は、ベース板２に、横外側方の第１の枢ピン６により一端側が枢支され、元位置とせり出し位置との間を水平面上回転可能である。第２のリンク板４は、ベース板２に、第１の枢ピン６より横内側方に位置する第２の枢ピン７で一端側が枢支され、元位置とせり出し位置との間を第１のリンク板３と平行に水平面上回転可能である。支持板５は、横内側方に位置する基端と横外側方に位置する先端とを有する。支持板５の基端側は、第１及び第２のリンク板３，４の他端側に、第３、第４の枢ピン８，９により枢支され、それにより、リンク板３，４に連動して元位置とせり出し位置との間を固定枠体５２の前面５２ａに対して平行を保ちながら水平面上揺動自在である。支持板５の先端側には、扉５３が枢軸５４で枢支される。支持板５は、それが元位置にある状態で、扉５３の垂直投影面内に配置され、せり出し位置にある状態では、当該投影面から前方及び横外側方へ張り出すように配置される。それにより、扉５３の開放時に、枢軸５４が開口前面５２ａの前方横外側方へせり出して配置される。
【発明の効果】
【０００６】
この出願に係る発明のヒンジ装置によれば、扉が閉鎖状態にあるときには、扉の回転中心が扉の垂直投影面内にあって、軸受が横外側へ張り出していないので、じゃまにならない。扉の開放時には、支持板の先端部が扉５３と共に前方から横外側方向へ移動することにより、扉の回転中心が固定枠体５２の開口部前方の横外側方向に持ち出されるため、開放された扉５３が隣接の自販機等に干渉することがなく、また内部の物の出し入れ操作の障害となることがない。また、構造が比較的簡単で安価に得られるという効果を有する。
【図面の簡単な説明】
【０００７】
【図１】本発明に係るヒンジの使用状態の斜視図である。
【図２】扉が閉鎖状態にあるときの図１のヒンジ装置の平面図である。
【図３】扉が開放途上にあるときの図１のヒンジ装置の平面図である。
【図４】扉が開放途上にあるときの図１のヒンジ装置の平面図である。
【図５】扉が開放途上にあるときの図１のヒンジ装置の平面図である。
【図６】扉が全開状態にあるときの図１のヒンジ装置の平面図である。
【発明を実施するための形態】
【０００８】
図面を参照してこの発明の実施の形態を説明する。
図１において、５１は自動販売機等の筐体、５２は筐体１の前方開口を囲む固定枠体、５３は固定枠体５２の開口前面５２ａ側を開閉する扉である。図１において、筐体５１の一方の側壁５１ａ側（左側）を横外側方といい、その反対側（右側）、すなわち開口の中央側を横内側方という（この出願において同じ）。
【０００９】
ヒンジ装置１は、固定枠体５２の横外側方の上下に設けられ、扉５３を枢軸５４で枢支する。ヒンジ装置１は、固定枠体５２に固着される水平のベース板２と、これに枢支される第１及び第２のリンク板３，４と、これらのリンク板に枢支され、先端側に扉５３を枢支する支持板５とを具備する。
【００１０】
第１のリンク板３は、直交する第１片３ａと第２片３ｂとからなり、第１片３ａの先端側において横外側方の第１の枢ピン６により、ベース板２に枢支され、図２に示す元位置と、図６に示すせり出し位置との間を水平面上回転可能である。第１のリンク板３は、元位置において、第１片３ａが固定枠体５２の開口前面５２ａに対して平行で、第２片３ｂが固定枠体５２の開口前面５２ａに対して直角に前方へ延びるように配置される。
【００１１】
第２のリンク板４は、同様に、直交する第１片４ａと第２片４ｂとからなり、第１片４ａの先端側において、第２の枢ピン７でベース板２に枢支され、図２に示す元位置と、図６に示すせり出し位置との間を水平面上回転可能である。第２の枢ピン７は、第１の枢ピン６の横内側方に位置して、開口前面５２ａに対して平行に並んで配置される。第２のリンク板４は、元位置において、第１片４ａが固定枠体５２の開口前面５２ａに対して平行で、第２片４ｂが固定枠体５２の開口前面５２ａに対して直角に前方へ延びるように配置される。
【００１２】
支持板５は、横内側方の基端と横外側の先端とを有し、図２に示す元位置において固定枠体５２の開口前面５２ａに対して平行に延びる。支持板５の基端側は、第１及び第２のリンク板３，４の他端側に、第３、第４の枢ピン８，９で枢支され、それにより、リンク板３，４に連動して図２に示す元位置と、図６に示すせり出し位置との間を固定枠体５２の前面５２ａに対して平行を保ちながら水平面上揺動自在である。扉５３の枢軸５４は、第１の枢ピン６よりも横外側方に配置される。支持板５は、それが図２に示す元位置にある状態で、扉５３の垂直投影面内に配置され、図６に示すせり出し位置にある状態では、扉５３の投影面から前方及び横外側方へ張り出すように配置される。それにより、扉５３の開放時に、枢軸５４が開口前面５２ａの前方横外側方へせり出して配置される。
【００１３】
ストッパロッド１０は、固定枠体５２に固定された支持部材１１に、上下動自在に設けられる。ストッパロッド１０は、支持部材１１のガイド溝１１ａに挿通されたハンドル１０ａを摘んで手動により上下操作可能であり、下降して下端部が第１のリンク板３の回転経路上に進出したロック位置において、リンク板３を元位置に保持し、上昇して回転経路上から退去した解放位置においてリンク板３の回動を許容する。ストッパロッド１０は、扉５３の閉鎖状態においてロック位置に配置する。
【００１４】
図２に示す閉鎖状態において、リンク板３，４はストッパロッド１０で元位置に拘束されている。扉５３を開放操作すると、扉５３は枢軸５４を中心に、図３の経過を経て図４の位置まで時計方向へ回動し、ここで図示しないストッパ機構により扉５３と支持板５との相対回動が止まる。この状態で、ストッパロッド１０を解放位置へ引き上げ、リンク板３，４を解放し、さらに扉５４を時計方向へ回動操作すると、リンク板３，４が枢ピン６，７を中心に時計方向へ回動し、支持板５が固定枠体５２の前面５２ａに対して平行を保ちながら図５の経過を経て図６の位置まで前方横外側方へせり出す。このため、開放された扉５３が隣接の自販機等に干渉することがなく、また内部の物の出し入れ操作の障害となることがない。
扉５３を閉じる場合には、まずリンク板３，４を元位置へ復帰させるように、反時計方向へ回動させるべく扉５３を操作する。図３に示すように、リンク板３，４が元位置へ復帰した状態で、ストッパロッド１０をロック位置へ降ろした上、さらに扉５３を枢軸５４を中心に反時計方向へ回動させ、図２に示す閉鎖位置へ戻し、筐体５１の開口を閉じる。
なお、ストッパロッド１０がなくても、扉５３の開閉操作を行うことができる。
【符号の説明】
【００１５】
１    ヒンジ装置
２    ベース板
３    第１リンク板
３ａ  第１片
３ｂ  第２片
４    第１リンク板
４ａ  第１片
４ｂ  第２片
５    支持板
６    第１枢ピン
７    第２枢ピン
８    第３枢ピン
９    第４枢ピン
１０  ストッパロッド
１０ａ  ハンドル
１１  支持部材
１１ａ  ガイド溝
５１  筐体
５１ａ  一方の側壁
５２  固定枠体
５２ａ  開口前面
５３  扉
５４  枢軸
【図１】
0005313300.tif 000002
【図２】
0005313300.tif 000003
【図３】
0005313300.tif 000004
【図４】
0005313300.tif 000005
【図５】
0005313300.tif 000006
【図６】
0005313300.tif 000007